(57)【要約】【課題】  綴じ足が表紙体からはみ出すことがなく、綴じ足を綴じ込み位置にセットするときに一箇所の操作部を操作するだけで足りる綴じ具及びファイルを提供すること。【解決手段】  書類Ｐの綴じ穴に通される綴じ足３０，３１が挿通可能なベース３２と、このベース３２に組み合わされるスライド部材３３とにより綴じ具２０が構成されている。綴じ具２０のベース３２は表紙体１５における第１の綴じ幅形成面１７に固定されており、綴じ足３０，３１は、第２の綴じ幅形成面１８に一端側が固定保持されている。綴じ足３０，３１は、ベース３２を貫通する方向に延び、スライド部材３３をベース３２に沿って移動させたときに、相互に重なり合う方向に倒伏して押さえ付けられる。【選択図】          図１
2006281547.tif 000002
【特許請求の範囲】
【請求項１】
書類の綴じ穴に通される綴じ足が挿通可能なベースと、当該ベースに組み合わされる単一のスライド部材とを備えた綴じ具において、
前記スライド部材を前記ベースに沿って移動させることで、前記綴じ足が互いに向き合う方向に倒伏して綴じ込み位置に保たれることを特徴とする綴じ具。
【請求項２】
前記スライド部材は一端側に操作部を備えて構成され、当該操作部を操作することで、各綴じ足が重なるように倒伏することを特徴とする請求項１記載の綴じ具。
【請求項３】
前記スライド部材とベースには、前記綴じ足を互いに向き合う方向に倒伏させるための開口を有する綴じ足倒伏誘導部が設けられていることを特徴とする請求項１又は２記載の綴じ具。
【請求項４】
前記請求項１ないし３の綴じ具と、当該綴じ具が取り付けられる表紙体とを備えたことを特徴とするファイル。
【請求項５】
表表紙と、裏表紙と、これら表表紙及び裏表紙の間に位置する背表紙とを備えているとともに、前記表表紙と裏表紙の基部に綴じ幅形成面がそれぞれ設けられた表紙体と、この表紙体に取り付けられる綴じ具とを備えたファイルにおいて、
何れか一方の綴じ幅形成面に支持されて先端部が他方の綴じ幅形成面を貫通するように設けられた綴じ足と、何れか他方に設けられるとともに前記綴じ足が挿通可能に設けられたベースと、当該ベースに組み合わされる単一のスライド部材とを備え、
前記スライド部材を前記ベースに沿って移動させることで、前記綴じ足が互いに向き合う方向に倒伏して綴じ込み位置に保たれることを特徴とするファイル。
【発明の詳細な説明】
【技術分野】
【０００１】
本発明は綴じ具及びファイルに係り、特に、綴じ幅が調整可能に設けられた表紙体の内面側に取り付けられる綴じ具及びファイルに関する。
【背景技術】
【０００２】
ファイルに用いられている綴じ具としては、表紙体の背表紙内面側に取り付けられて書類の綴じ穴に挿入される二本の綴じ足と、これら綴じ足を挿入するための貫通穴を備えたベースと、当該ベースにスライド移動可能に取り付けられた二つのスライド部材とを備えて構成されている（例えば、特許文献１参照）
【０００３】
【特許文献１】特開２００３−３３５０８８号公報
【発明の開示】
【発明が解決しようとする課題】
【０００４】
しかしながら、特許文献１に記載された綴じ具を備えたファイルは、背表紙の綴じ幅が拡大できるタイプであるため、最大綴じ幅としたときの綴じ足長さを確保する必要性から、綴じ足の基部固定位置を変更する構成を前提とし、これにより、表紙体の上下二箇所に配置される綴じ足が、互いに離れる方向に向けられた状態であっても、綴じ足の先端側が表紙体の上下からはみ出すことがないように構成されている。つまり、特許文献１の構成は、綴じ足の基部固定位置を変更可能な構成としない限り、綴じ込み幅が小さい状態のときに、綴じ足の先端が背表紙の上下両端からはみ出てしまうものとなる。
【０００５】
［発明の目的］
本発明の目的は、綴じ足の基部固定位置を変更する必要がなく、しかも、綴じ足の先端側が表紙体の上下からはみ出すことがなく、綴じ足を綴じ込み位置に保つことができる綴じ具及びファイルを提供することにある。
また、本発明の目的は、部品点数の削減を図るとともに、一箇所の操作部を所定操作することで、綴じ足を重なり合うように倒伏させて綴じ込み位置にセットすることのできる綴じ具及びファイルを提供することにある。
【課題を解決するための手段】
【０００６】
前記目的を達成するため、本発明は、書類の綴じ穴に通される綴じ足が挿通可能なベースと、当該ベースに組み合わされる単一のスライド部材とを備えた綴じ具において、
前記スライド部材を前記ベースに沿って移動させることで、前記綴じ足が互いに向き合う方向に倒伏して綴じ込み位置に保たれる、という構成を採っている。
【０００７】
本発明において、前記スライド部材は一端側に操作部を備えて構成され、当該操作部を操作することで、各綴じ足が重なるように倒伏する、という構成を採っている。
【０００８】
また、前記スライド部材とベースには、前記綴じ足を互いに向き合う方向に倒伏させるための開口を有する綴じ足倒伏誘導部が設けられている。
【０００９】
更に、本発明は、前述した綴じ具と、当該綴じ具が取り付けられる表紙体とを備えてファイルを構成することができる。
【００１０】
また、本発明は、表表紙と、裏表紙と、これら表表紙及び裏表紙の間に位置する背表紙とを備えているとともに、前記表表紙と裏表紙の基部に綴じ幅形成面がそれぞれ設けられた表紙体と、この表紙体に取り付けられる綴じ具とを備えたファイルにおいて、
何れか一方の綴じ幅形成面に支持されて先端部が他方の綴じ幅形成面を貫通するように設けられた綴じ足と、何れか他方に設けられるとともに前記綴じ足が挿通可能に設けられたベースと、当該ベースに組み合わされる単一のスライド部材とを備え、
前記スライド部材を前記ベースに沿って移動させることで、前記綴じ足が互いに向き合う方向に倒伏して綴じ込み位置に保たれる、という構成を採っている。
【発明の効果】
【００１１】
本発明によれば、綴じ足が相互に向き合う方向に倒伏されて綴じ込み位置に保たれる構成であるため、綴じ足の長さを十分に確保することが可能となる。従って、書類の綴じ幅が拡大できるタイプの表紙体に用いたときに、綴じ足の基部を一定に保った状態であっても、綴じ足の先端側が表紙体の上下からはみ出してしまうような不都合は生じない。
また、綴じ足を綴じ込み位置に保つためのスライダは、一個部材により構成されるため、各綴じ足に対応したスライダを設ける必要がなく、部品点数を削減できるだけでなく、操作する箇所を一箇所として綴じ足を同時に倒伏動作させる操作上の簡便性をも備えたものとすることができる。
【発明を実施するための最良の形態】
【００１２】
以下、本発明の好ましい実施形態を図面を参照しながら説明する。
【００１３】
図１には、本実施形態に係るファイルの使用状態における概略斜視図が示され、図２には、書類を省略した状態の概略斜視図が示されている。これらの図において、ファイル１０は、表表紙１１と、裏表紙１２と、これら表表紙１１及び裏表紙１２間に位置する背表紙１３とを有する表紙体１５と、この表紙体１５の内側に取り付けられた綴じ具２０とにより構成されている。
【００１４】
前記表表紙１１は、裏表紙１２側の端縁が開口縁１１Ａとされた扁平シート状の袋体として形成されており、その開口縁１１Ａを通じて、表表紙１１内に背表紙１３を構成するシートが出し入れ可能に収納されている。従って、背表紙１３は、表表紙１１の前記開口縁１１Ａから突出する量を調整することにより、綴じ幅Ｗを任意に決定できるようになっている。なお、表紙体１５は、綴じ込まれる書類Ｐの量に応じて背表紙１３の綴じ幅Ｗを可変設定できる公知のタイプと実質的に同一となっている。
【００１５】
前記表表紙１１と裏表紙１２の各基部には第１及び第２の綴じ幅形成面１７，１８が形成されている。これら綴じ幅形成面１７，１８は、相互に向き合う長片状に設けられており、それらの相対面間に書類Ｐを挟み込む状態で当該書類Ｐの綴じ込みが行えるようになっている。
【００１６】
第１の綴じ幅形成面１７には、図３に示されるように、長手方向に沿う二箇所に、平面視略長方形状の角穴２１，２２が形成されているとともに、これらの角穴２１，２２の隣接位置にベース固定穴２３，２４が形成されている。この一方、第２の綴じ幅形成面１８には、綴じ足支持穴２６，２７が形成されている。
【００１７】
前記綴じ具２０は、図４ないし図７に示されるように、前記第２の綴じ幅形成面１８に支持される二つの綴じ足３０，３１と、第１の綴じ幅形成面１７に取り付けられるベース３２と、このベース３２に組み合わされるスライド部材３３とを備えて構成されている。
【００１８】
前記綴じ足３０，３１は、公知のフラットファイル等に用いられている綴じ足と実質的に同一構造のものが採用されている。これら綴じ足３０，３１は、書類Ｐの綴じ込み状態において（図７参照）、相互に対向する方向に倒伏して重なり合うように設けられ、これにより、綴じ足３０，３１の先端が背表紙１３の上下各端部（図７中左右各端部）から外側に突出することがないようになっている。
【００１９】
前記ベース３２は、前記第１の綴じ幅形成面１８に沿って延びるベース本体４０と、このベース本体４０の下面側において、長手方向に沿う二箇所に連設されたフック片部４２，４３（図６参照）とを備えて構成されている。フック片部４２，４３は、第１の綴じ幅形成面１８の面内に形成された角穴２１，２２を通じて先端がベース固定穴２３，２４にそれぞれ係り合うように配置され、これにより、ベース３２が第１の綴じ幅形成面１７に固定されるようになっている。ベース本体４０において、図５及び図６中左端より若干右側には、綴じ足３０が挿通される角穴状の通路４５が形成されている一方、当該通路４５の更に右側には、綴じ足３１が挿通する細長い通路４６が形成されている。この通路４６の右側領域は、綴じ足倒伏誘導部を構成する隆起部面部４７が形成されており、当該隆起面部４７の下面側がスライド部材３３と相互に作用して綴じ足３１を倒伏姿勢に押さえ込むように構成されている。また、ベース本体４０の図５中左端部には、スライド部材３３に係り合う突部４８が片持ち状に支持されている。
【００２０】
前記スライド部材３３は、一端側すなわち図５中左端側において、短寸幅方向に向けられた起立片状の操作部５０と、この操作部５０の隣接位置に設けられたストッパ穴５１と、綴じ足倒伏誘導部を構成する隆起面部５２と、当該隆起面部５２を介して右方向に延びる一対のレール部５３，５３と、これらレール部５３、５３の右側領域間に設けられた段付き面部５４と、当該段付き面部５４の右端側に突出する一対の綴じ足ガイド５５，５５とを備えて構成されている。段付き面部５４は、上面側がやや凹状に湾曲する凹面部５６と、この凹面部５６の左側に段部５６Ａを介して上面位置が若干低く設けられたガイド面部５７とを備えて構成されている。ここで、隆起面部５２の図５中右端とガイド面部５７の左端との間は空間とされており、当該空間を通るようにベース３２が組み合わされ、ベース３２におけるベース本体４０の短寸幅方向両端部がレール部５３，５３上に乗ってスライド部材３３が長手方向に進退できるようになっている。また、ベース本体４０の幅方向両側における下端部分には、一対の爪部材６０，６０が形成されており、これら爪部材６０は、前記凹面部５６の幅方向両側に形成されたスロット穴６２に入り込んでこれに係り合うようになっている。
【００２１】
次に、本実施形態における綴じ具２０の使用方法について説明する。
【００２２】
書類Ｐの加除整理を行うときは、図６に示されるように、スライド部材３３を左側にスライドさせておき、綴じ足３０，３１に対する締め付けを解除する。このスライドは、前記凹面部５６の段部５６Ａがベース４０における通路４６の形成縁４０Ａに突き当たる位置で規制される。そして、綴じ足３０，３１を第１の綴じ幅形成面１７から抜き出し、これら綴じ足３０．３１を新たな書類の綴じ穴に挿入したり、或いは既に綴じられている書類を綴じ足３０，３１から抜き出すことで加除整理を行うことができる。
【００２３】
綴じ足３０，３１を綴じ込み位置にするときは、綴じ足３０，３１を第１の綴じ幅形成面１７の角穴２１，２２を通じて通路４５，４６にそれぞれ挿通する。そして、操作部５０を摘み、スライド部材３３を図６中右側にスライド移動させる。これにより、隆起面部５２，４７の向き合う開口によって各綴じ足３０，３１は互いに対向する方向に向かって押圧力を受けながら折れ曲がる方向に倒伏しつつ、最終的に、隆起面部５２，４７によって強く押圧力を受けて綴じ込み位置に保たれる。この際、スライド部材３３の凹面部５６の先端による押圧で綴じ足３１が隆起面部４７領域内で倒伏し、当該綴じ足３１が先に倒伏するように構成されており、綴じ足同士が相互の倒伏動作を干渉し合うようなことはない。また、綴じ足３０，３１が綴じ込み位置に保たれた状態では、ベース３２の突部４８がスライド部材３３のストッパ穴５１に係り合う状態に保たれる。なお、図７では、図面の明瞭性のために、綴じ足３０，３１と隆起面部５２，４７との間に隙間を表しているが、実際には、押圧力を付与する程度に密着しているものである。
【００２４】
従って、このような実施形態によれば、一箇所の操作部５０を操作するだけで、二つの綴じ足３０，３１を同時に倒伏させながら締め付けて綴じ込み位置に保つことができる、という効果を得る。しかも、綴じ足３０，３１は、相互に向き合う方向に倒伏するので、つまり、従来のように、互いに離れる方向に向かって倒れることがないので、長い綴じ足としても、背表紙の上下両端から綴じ足が突出してしまうような不都合を解消することができる。
【００２５】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２６】
例えば、綴じ具を構成するベース及びスライド部材は、図示構成例に限定されるものではなく、綴じ足を倒伏させて締め付け固定することができれば足りる。
【００２７】
また、前記実施形態では、綴じ幅を可変としたファイルについて図示、説明したが、本発明は、綴じ幅が変化しない仕様のファイルにも適用することができる。
【図面の簡単な説明】
【００２８】
【図１】実施形態に係るファイルの使用状態を示す概略斜視図。
【図２】図１の状態から書類を除外した状態を示す概略斜視図。
【図３】ファイルを構成する表紙体の概略斜視図。
【図４】綴じ具のベースとスライド部材とが組み合わされた状態を示す概略斜視図。
【図５】図４の分解斜視図。
【図６】綴じ足の綴じ込み位置を解除した状態を示す断面図。
【図７】綴じ足が綴じ込み位置に保たれた状態を示す断面図。
【符号の説明】
【００２９】
１０  ファイル
１１  表表紙
１２  裏表紙
１３  背表紙
１５  表紙体
１７  第１の綴じ幅形成面
１８  第２の綴じ幅形成面
３２  ベース
３３  スライド部材
Ｐ  書類
Ｗ  綴じ幅
【図１】
2006281547.tif 000003
【図２】
2006281547.tif 000004
【図３】
2006281547.tif 000005
【図４】
2006281547.tif 000006
【図５】
2006281547.tif 000007
【図６】
2006281547.tif 000008
【図７】
2006281547.tif 000009